(57)【特許請求の範囲】
【請求項１】
対物レンズの像側に装着されて該対物レンズの焦点距離を拡大する負の焦点距離を有するリアコンバーターレンズにおいて、
前記対物レンズ側から順に、第１レンズ群と、負の屈折力を有する第２レンズ群と、正の屈折力を有する第３レンズ群とから構成され、
前記第１レンズ群中の最も前記対物レンズ側には、正レンズが配置されており、
当該正レンズが以下の条件式を満たすことを特徴とするリアコンバーターレンズ。
−１．１７０９≦（ｒ２＋ｒ１）／（ｒ２−ｒ１）≦−０．８９２７
ただし、
ｒ１：前記正レンズの前記対物レンズ側のレンズ面の曲率半径，
ｒ２：前記正レンズの像側のレンズ面の曲率半径．
【請求項２】
少なくとも１つの３枚貼り合わせレンズを有することを特徴とする請求項１に記載のリアコンバーターレンズ。
【請求項３】
以下の条件式を満足することを特徴とする請求項１または請求項２に記載のリアコンバーターレンズ。
（ｅｔ＋Ｂｆ）／（Ｌｒ＋Ｂｆ）＜０．８
ただし、
ｅｔ：前記リアコンバーターレンズの最も像側のレンズ面と前記リアコンバーターレンズの像側主点との間隔（前記リアコンバーターレンズの最も像側の前記レンズ面が、前記リアコンバーターレンズの前記像側主点よりも像側に位置するときを正とする。），
Ｂｆ：前記対物レンズに前記リアコンバーターレンズを装着した場合のバックフォーカス値，
Ｌｒ：前記リアコンバーターレンズの最も前記対物レンズ側のレンズ面から最も像側のレンズ面までの光軸上の間隔．
【請求項４】
以下の条件式を満足することを特徴とする請求項１から請求項３のいずれか１項に記載のリアコンバーターレンズ。
β＞１．５
β：前記リアコンバーターレンズの拡大倍率．
【発明の詳細な説明】
【技術分野】
【０００１】
本発明はリアコンバーターレンズに関し、特に一眼レフカメラなどにおいて撮影レンズとカメラ本体との間に配置されて撮影レンズの焦点距離を拡大するためのリアコンバーターレンズに関する。
【背景技術】
【０００２】
従来、一眼レフカメラにおいて撮影レンズ（対物レンズ）とカメラ本体との間に、負の焦点距離を有するリアコンバーターレンズを装着して対物レンズの焦点距離を拡大する方法が広く知られている。このようにリアコンバーターレンズを用いることで、対物レンズの焦点距離を容易に拡大することができ、特に携帯性およびコスト面などにおいて有利である。
また、近年は望遠対物レンズとしてＦナンバー２程度の明るいレンズが使用されるようになってきているとともに、斯かるレンズの小型化が求められている。このため、リアコンバーターレンズに対しても、明るい望遠対物レンズへの対応および小型化が求められている。
【０００３】
一般に、リアコンバーターレンズは、対物レンズの焦点距離を拡大するだけでなく対物レンズの収差をも同時に拡大してしまうため、収差補正が非常に困難である。また、リアコンバーターレンズ自体は開口絞りを持たず、対物レンズにおける開口絞りが利用されることとなる。このため、リアコンバーターレンズ内で軸外光の主光線が光軸と交わることがないため、周辺光の収差補正が非常に困難である。したがって、小型で実用に供する十分な性能を備えたリアコンバーターレンズを実現することは困難である。
そこで、最適なレンズ配置を行うことによって、十分に明るく良好な性能を実現したリアコンバーターレンズが提案されている（例えば、特許文献１参照。）。
【特許文献１】特開昭６３−１０６７１５号公報
【発明の開示】
【発明が解決しようとする課題】
【０００４】
しかしながら、近年普及の進んでいるデジタルカメラに上記特許文献１に開示されているリアコンバーターレンズを用いた場合、球面収差や倍率色収差がデジタルカメラで許容される量よりも多く発生してしまう。このため、従来のリアコンバーターレンズは、デジタルカメラに用いた場合に該デジタルカメラの画像性能の劣化やＡＦ精度の劣化を引き起こしてしまうという問題がある。
【０００５】
そこで本発明は上記問題点に鑑みてなされたものであり、デジタルカメラに対しても使用可能であり、明るい対物レンズに装着しても良好な光学性能を有するリアコンバーターレンズを提供することを目的とする。
【課題を解決するための手段】
【０００６】
上記課題を解決するために本発明は、
対物レンズの像側に装着されて該対物レンズの焦点距離を拡大する負の焦点距離を有するリアコンバーターレンズにおいて、
前記対物レンズ側から順に、第１レンズ群と、負の屈折力を有する第２レンズ群と、正の屈折力を有する第３レンズ群とから構成され、
前記第１レンズ群中の最も前記対物レンズ側には、正レンズが配置されており、
当該正レンズが以下の条件式（１）を満たすことを特徴とするリアコンバーターレンズを提供する。
（１）  −１．１７０９≦（ｒ２＋ｒ１）／（ｒ２−ｒ１）≦−０．８９２７
ただし、
ｒ１：前記正レンズの前記対物レンズ側のレンズ面の曲率半径，
ｒ２：前記正レンズの像側のレンズ面の曲率半径．
【発明の効果】
【０００７】
本発明によれば、レンズ群毎に適切なレンズ配置を行うことで、デジタルカメラに対しても使用可能であり、明るい対物レンズに装着しても良好な光学性能を有するリアコンバーターレンズを提供することができる。
【発明を実施するための最良の形態】
【０００８】
本発明のリアコンバーターレンズにおいて、上記条件式（１）は、明るい対物レンズに対してリアコンバーターレンズを装着する際に、球面収差を良好に保持しながら、対物レンズにおける最終レンズ（最も像側のレンズ）と、リアコンバーターレンズにおける第１レンズ（最も対物レンズ側のレンズ）とが当たることがないように間隔を維持しつつ、一眼レフカメラとして十分なバックフォーカスを確保するための条件式である。
【０００９】
条件式（１）の上限値を上回ると、バックフォーカスを十分に確保しようとする場合に、対物レンズにおける最終レンズとリアコンバーターレンズにおける第１レンズとの間隔が小さくなってしまう。また、Ｆナンバーの大きな明るい対物レンズに装着する場合に、球面収差と像面湾曲を良好に補正することができなくなってしまう。
一方、条件式（１）の下限値を下回ると、対物レンズにおける最終レンズとリアコンバーターレンズにおける第１レンズとの間隔を大きく確保することができ、バックフォーカスを確保することもできる。しかし、Ｆナンバーの大きな明るい対物レンズに装着する場合に、球面収差を良好に補正することができなくなってしまう。
また本発明のリアコンバーターにおいて、第１レンズ群における最も対物レンズ側のレンズは、正レンズであることがさらに望ましい。
【００１０】
また、本発明の好ましい態様によれば、
本発明のリアコンバーターレンズは、１枚の正レンズと２枚の負レンズとを含む３枚貼り合わせレンズを少なくとも１つ有することが望ましい。
このことは、軸上色収差、倍率色収差、像面湾曲、およびコマ収差を補正することに有利である。特に、３枚貼り合わせレンズを第２レンズ群に配置すれば、非常に効果的に各収差の補正を行うことができる。
【００１１】
また、本発明の好ましい態様によれば、
本発明のリアコンバーターレンズは、以下の条件式（２）を満足することが望ましい。
（２）  （ｅｔ＋Ｂｆ）／（Ｌｒ＋Ｂｆ）＜０．８
ただし、
ｅｔ：前記リアコンバーターレンズの最も像側のレンズ面と前記リアコンバーターレンズの像側主点との間隔（前記リアコンバーターレンズの最も像側の前記レンズ面が、前記リアコンバーターレンズの前記像側主点よりも像側に位置するときを正とする。），
Ｂｆ：前記対物レンズに前記リアコンバーターレンズを装着した場合のバックフォーカス値，
Ｌｒ：前記リアコンバーターレンズの最も前記対物レンズ側のレンズ面から最も像側のレンズ面までの光軸上の間隔．
【００１２】
条件式（２）は、本発明のリアコンバーターレンズについて、コンパクト化を図り、かつ明るい対物レンズに装着した場合も球面収差や像面湾曲等を良好に補正した状態を維持するための条件式である。
条件式（２）の上限値を上回ると、明るさを維持しながら収差を補正することができても、対物レンズとの間隔を適正に保ちながらコンパクト化を図ることができなくなる。このため、リアコンバーターレンズ自体が大型化して、製品化をすることが困難になってしまう。
【００１３】
また、本発明の好ましい態様によれば、
本発明のリアコンバーターレンズは、以下の条件式（３）を満足することが望ましい。
（３）  β＞１．５
β：前記リアコンバーターレンズの拡大倍率．
【００１４】
一般にリアコンバーターレンズは、高倍率になると、コンパクトで明るい対物レンズに装着した場合に球面収差や像面湾曲などの諸収差を良好に補正することが困難になる。しかし、本発明のリアコンバーターレンズによって、収差を良好に補正することが可能となる。
条件式（３）の下限値を下回ると、拡大倍率が低く、コンバーターとして実用に供する十分な性能を備えることができなくなってしまう。
【００１５】
以下、添付図面に基づいて本発明の各実施例に係るリアコンバーターレンズについて説明する。
（第１実施例）
図１は、対物レンズＯの像側に本発明の第１実施例に係るリアコンバーターレンズＲを装着した際のレンズ構成を示す図であり、無限遠物体撮影時の配置を示す。また図２は、本実施例に係るリアコンバーターレンズＲのみのレンズ構成を示す図である。
図１に示すように、本実施例において用いている対物レンズＯは、物体側から順に、正の屈折力を有する第１レンズ群Ｇ１０と、負の屈折力を有する第２レンズ群Ｇ２０と、開口絞りＳを備え正の屈折力を有する第３レンズ群Ｇ３０とからなる。
【００１６】
図１，２に示すように、本実施例に係るリアコンバーターレンズＲは、対物レンズＯ側（物体側）から順に、正の屈折力を有する第１レンズ群Ｇ１と、負の屈折力を有する第２レンズ群Ｇ２と、正の屈折力を有する第３レンズ群Ｇ３とから構成されている。
第１レンズ群Ｇ１は、対物レンズＯ側から順に、像側に凸面を向けた正メニスカスレンズＬ１１と像側に凸面を向けた負メニスカスレンズＬ１２との２枚貼り合わせレンズからなる。
また、第２レンズ群Ｇ２は、対物レンズＯ側から順に、対物レンズＯ側に凸面を向けた正メニスカスレンズＬ２１と、両凹形状の負レンズＬ２２と両凸形状の正レンズＬ２３と両凹形状の負レンズＬ２４との３枚貼り合わせレンズとからなる。
また、第３レンズ群Ｇ３は、対物レンズＯ側から順に、両凸形状の正レンズＬ３１と、像側に凸面を向けた負メニスカスレンズＬ３２とからなる。
【００１７】
以下の表１，表２に、本発明の第１実施例に係るリアコンバーターレンズＲの諸元の値，対物レンズＯの諸元の値をそれぞれ掲げる。
尚、以下の全ての実施例は、本実施例において用いている対物レンズＯを共通に用いて示す。
【００１８】
表中の（対物レンズ諸元）において、ｆは焦点距離、ＦＮＯはＦナンバー、２ωは画角の最大値（単位：度）をそれぞれ示す。
また、（リアコンバーターレンズ諸元）において、βはリアコンバーターレンズＲの拡大倍率を示す。さらにＤは、対物レンズＯと、リアコンバーターレンズＲにおける最も対物レンズＯ側のレンズ面との距離を示す。詳細には、対物レンズＯのレンズ保持枠に設けられた装着マウント（不図示）の最も像側の面Ｍから、リアコンバーターレンズＲにおける第１レンズ群Ｇ１中のレンズＬ１１の対物レンズＯ側レンズ面までの光軸上の距離を示す。
また、（レンズデータ）において、面は物体側から数えたレンズ面の順番、ｒはレンズ面の曲率半径、ｄはレンズ面の光軸上間隔、νは媒質のｄ線（λ＝588nm）に対するアッベ数、ｎは媒質のｄ線（λ＝588nm）に対する屈折率をそれぞれ示す。さらに、曲率半径0.0000は平面または仮想面を示す。
【００１９】
ここで、以下の全ての諸元値において掲載されている焦点距離ｆ、曲率半径ｒ、面間隔ｄ、その他長さの単位は一般に「ｍｍ」が使われる。しかし光学系は、比例拡大または比例縮小しても同等の光学性能が得られるため、これに限られるものではない。
尚、以下の全実施例の諸元値において、本実施例と同様の符号を用いる。
【００２０】
（表１）［対物レンズＯ］
（対物レンズ諸元）
Ｆ     ＝ 195 mm
ＦＮＯ ＝  2.0
２ω   ＝ 12.6 °
（レンズデータ）
面     ｒ        ｄ       ν       ｎ
1)   148.7500  11.5000   82.52   1.497820
2) -1205.7850   0.3000           1.000000
3)   142.0170  14.5000   82.52   1.497820
4)  -320.5770   2.0000           1.000000
5)  -307.6360   3.7000   35.19   1.749501
6)   280.4690   1.0000           1.000000
7)   136.9230   8.0000   82.52   1.497820
8)   348.6360  30.9000           1.000000
9)   121.1160   3.9000   60.03   1.640000
10)    41.0010  15.0000   67.87   1.593189
11)   178.4310   5.9980           1.000000
12) -1353.9050   6.0000   23.82   1.846660
13)  -105.2580   3.0000   64.10   1.516800
14)    76.3920   7.1000           1.000000
15)  -104.4510   3.5000   65.77   1.464500
16)    61.8710  21.9313           1.000000
開口絞りＳ  1.0
17)  1692.8610   7.5000   53.75   1.693500
18)   -47.0310   2.5000   28.19   1.740000
19)  -306.5910   0.3000           1.000000
20)   129.8090   6.0000   49.45   1.772789
21)  -165.8580  36.9886           1.000000
22)     0.0000     Ｄ                     （Ｍ）
【００２１】
（表２）［第１実施例に係るリアコンバーターレンズＲ］
（リアコンバーターレンズ諸元）
β＝ 1.70
Ｄ＝-7.24
（レンズデータ）
面      ｒ        ｄ       ν       ｎ
1)  -366.9377   6.0000   47.22   1.540720
2)   -28.8892   1.5000   49.61   1.772500
3)   -48.6082   5.5000           1.000000
4)   440.0963   2.5000   30.13   1.698950
5)  5171.6310   1.0000           1.000000
6)  -105.0496   2.0000   46.58   1.804000
7)    18.7516   9.0000   32.11   1.672700
8)   -44.8127   1.5000   40.77   1.883000
9)    70.1308   1.0000           1.000000
10)    36.2657   8.0000   70.24   1.487490
11)   -29.6591   0.5000           1.000000
12)   -35.3112   1.5000   40.77   1.883000
13)  -301.5978  39.7723           1.000000
（条件式対応値）
ｒ１＝-366.9377
ｒ２＝ -28.8892
Ｌｒ＝  40.00
Ｂｆ＝  39.7723
ｅｔ＝   5.39165
（１）  （ｒ２＋ｒ１）／（ｒ２−ｒ１）＝-1.1709
（２）  （ｅｔ＋Ｂｆ）／（Ｌｒ＋Ｂｆ）＝ 0.566
（３）  β＝1.697
【００２２】
図３は、本実施例の第１実施例に係るリアコンバーターレンズＲを対物レンズＯに装着したときの無限距離でのレンズ全体の諸収差図を示す。
図３の各収差図において、Ｙは像高を示し、非点収差図および歪曲収差図においてはその最大値を示す。また、ｄ，ｇ、はｄ線（λ＝588nm），ｇ線（λ＝436nm）の収差曲線をそれぞれ示している。
球面収差において、ＦＮＯは最大口径に対応するＦナンバーの値を示す。
非点収差図において、実線はサジタル像面、破線はメリデイオナル像面をそれぞれ示す。
コマ収差図は、像高Ｙ＝0.0，15.0，21.6でのコマ収差をそれぞれ表している。
尚、以下に示す各実施例の諸収差図において、本実施例と同様の符号を用いる。
【００２３】
各収差図より本実施例に係るリアコンバーターレンズは、諸収差を良好に補正し、優れた結像性能を有していることがわかる。
【００２４】
（第２実施例）
図４は、本発明の第２実施例に係るリアコンバーターレンズＲのレンズ構成を示す図である。
図４に示すように、本実施例に係るリアコンバーターレンズＲは、対物レンズＯ側（物体側）から順に、正の屈折力を有する第１レンズ群Ｇ１と、負の屈折力を有する第２レンズ群Ｇ２と、正の屈折力を有する第３レンズ群Ｇ３とから構成されている。
第１レンズ群Ｇ１は、対物レンズＯ側から順に、像側に凸面を向けた正メニスカスレンズＬ１１と像側に凸面を向けた負メニスカスレンズＬ１２との２枚貼り合わせレンズからなる。
また、第２レンズ群Ｇ２は、対物レンズＯ側から順に、両凹形状の負レンズＬ２1と両凸形状の正レンズＬ２２と両凹形状の負レンズＬ２３との３枚貼り合わせレンズからなる。
また、第３レンズ群Ｇ３は、対物レンズＯ側から順に、両凸形状の正レンズＬ３１と像側に凸面を向けた負メニスカスレンズＬ３２との２枚貼り合わせレンズからなる。
以下の表３に、本発明の第２実施例に係るリアコンバータレンズＲの諸元の値をそれぞれ掲げる。
【００２５】
（表３）［第２実施例に係るリアコンバーターレンズＲ］
（リアコンバーターレンズ諸元）
β＝ 1.72
Ｄ＝-4.78
（レンズデータ）
面      ｒ        ｄ       ν       ｎ
1)  -1402.4000   6.0000   47.22   1.540720
2)    -29.5111   1.5000   49.61   1.772500
3)    -50.5379   5.5000           1.000000
4)   -228.9424   2.0000   46.58   1.804000
5)     22.4541   9.0000   30.83   1.617501
6)    -47.1452   1.5000   40.77   1.883000
7)     71.1463   1.0000           1.000000
8)     36.6430   8.0000   70.24   1.487490
9)    -49.0838   1.5000   40.77   1.883000
10)   -619.2799   40.6543          1.000000
（条件式対応値）
ｒ１＝-1402.4000
ｒ２＝  -29.5111
Ｌｒ＝   36.00
Ｂｆ＝   40.6543
ｅｔ＝    5.02269
（１）  （ｒ２＋ｒ１）／（ｒ２−ｒ１）＝-1.043
（２）  （ｅｔ＋Ｂｆ）／（Ｌｒ＋Ｂｆ）＝ 0.5959
（３）  β＝1.716
【００２６】
図５は、本発明の第２実施例に係るリアコンバーターレンズＲを対物レンズＯに装着したときの無限距離でのレンズ全体の諸収差図を示す。
各収差図より本実施例に係るリアコンバーターレンズは、諸収差を良好に補正し、優れた結像性能を有していることがわかる。
【００２７】
（第３実施例）
図６は、本発明の第３実施例に係るリアコンバーターレンズＲのレンズ構成を示す図である。
図６に示すように、本実施例に係るリアコンバーターレンズＲは、対物レンズＯ側（物体側）から順に、正の屈折力を有する第１レンズ群Ｇ１と、負の屈折力を有する第２レンズ群Ｇ２と、正の屈折力を有する第３レンズ群Ｇ３とから構成されている。
第１レンズ群Ｇ１は、対物レンズＯ側から順に、対物レンズＯ側に平面に近い凸面を向けた両凸形状の正レンズＬ１１と像側に凸面を向けた負メニスカスレンズＬ１２との２枚貼り合わせレンズからなる。
また、第２レンズ群Ｇ２は、対物レンズＯ側から順に、両凹形状の負レンズＬ２１と両凸形状の正レンズＬ２２と両凹形状の負レンズＬ２３との３枚貼り合わせレンズからなる。
また、第３レンズ群Ｇ３は、対物レンズＯ側から順に、対物レンズＯ側に凸面を向けた正メニスカスレンズＬ３１と、両凸形状の正レンズＬ３２と、両凹形状の負レンズＬ３３とからなる。
以下の表４に、本発明の第３実施例に係るリアコンバーターレンズＲの諸元の値をそれぞれ掲げる。
【００２８】
（表４）［第３実施例に係るリアコンバーターレンズＲ］
（リアコンバーターレンズ諸元）
β＝ 1.71
Ｄ＝-6.03
（レンズデータ）
面      ｒ        ｄ       ν       ｎ
1)  538.3498   6.0000   47.22   1.540720
2)  -30.5231   1.5000   49.61   1.772500
3)  -54.6112   5.5000           1.000000
4) -168.3543   1.5000   40.77   1.883000
5)   18.6009   9.0000   32.11   1.672700
6)  -99.8631   2.0000    0      1.804000
7)   72.9806   1.0000           1.000000
8)   34.5177   2.5000   30.13   1.698950
9)   58.8282   1.0000           1.000000
10)   93.1931   6.5000   70.24   1.487490
11)  -28.7681   0.5000           1.000000
12)  -36.5720   1.5000   40.77   1.883000
13)  644.5374  42.0663           1.000000
（条件式対応値）
ｒ１＝538.3498
ｒ２＝-30.5231
Ｌｒ＝ 38.50
Ｂｆ＝ 40.0185
ｅｔ＝  5.0817
（１）  （ｒ２＋ｒ１）／（ｒ２−ｒ１）＝-0.8927
（２）  （ｅｔ＋Ｂｆ）／（Ｌｒ＋Ｂｆ）＝ 0.5744
（３）  β＝1.707
【００２９】
図７は、本発明の第３実施例に係るリアコンバーターレンズＲを対物レンズＯに装着したときの無限距離でのレンズ全体の諸収差図を示す。
各収差図より本実施例に係るリアコンバーターレンズは、諸収差を良好に補正し、優れた結像性能を有していることがわかる。
【００３０】
（第１参考例）
図８は、本発明の第１参考例に係るリアコンバーターレンズＲのレンズ構成を示す図である。
図８に示すように、本参考例に係るリアコンバーターレンズＲは、対物レンズＯ側（物体側）から順に、正の屈折力を有する第１レンズ群Ｇ１と、負の屈折力を有する第２レンズ群Ｇ２と、正の屈折力を有する第３レンズ群Ｇ３とから構成されている。
第１レンズ群Ｇ１は、対物レンズＯ側から順に、像側に凸面を向けた正メニスカスレンズＬ１１と、像側に凸面を向けた負メニスカスレンズＬ１２とからなる。
また、第２レンズ群Ｇ２は、対物レンズＯ側から順に、対物レンズＯ側に凸面を向けた正メニスカスレンズＬ２１と、両凹形状の負レンズＬ２２と両凸形状の正レンズＬ２３と両凹形状の負レンズＬ２４との３枚貼り合わせレンズとからなる。
また、第３レンズ群Ｇ３は、対物レンズＯ側から順に、両凸形状の正レンズＬ３１と、像側に凸面を向けた負メニスカスレンズＬ３２とからなる。
以下の表５に、本発明の第１参考例に係るリアコンバーターレンズＲの諸元の値をそれぞれ掲げる。
【００３１】
（表５）［第１参考例に係るリアコンバーターレンズＲ］
（リアコンバーターレンズ諸元）
β＝ 1.70
Ｄ＝-7.67
（レンズデータ）
面      ｒ        ｄ       ν       ｎ
1)  -204.1910   6.0000   47.22   1.540720
2)   -44.0462   0.5000           1.000000
3)   -37.7761   1.5000   49.61   1.772500
4)   -47.6077   5.5000           1.000000
5)   176.4382   2.5000   30.13   1.698950
6)   238.3529   1.0000           1.000000
7)  -133.9322   2.0000   46.58   1.804000
8)    18.2233   9.0000   32.11   1.672700
9)   -43.1264   1.5000   40.77   1.883000
10)    80.5371   1.0000           1.000000
11)    36.2657   8.0000   70.24   1.487490
12)   -29.8607   0.5000           1.000000
13)   -35.9763   1.5000   40.77   1.883000
14)  -907.8327  39.7066           1.000000
（条件式対応値）
ｒ１＝-204.1910
ｒ２＝ -44.0462
Ｌｒ＝  40.50
Ｂｆ＝  39.7066
ｅｔ＝   4.8748
（１）  （ｒ２＋ｒ１）／（ｒ２−ｒ１）＝-1.5501
（２）  （ｅｔ＋Ｂｆ）／（Ｌｒ＋Ｂｆ）＝ 0.5558
（３）  β＝1.699
【００３２】
図９は、本発明の第１参考例に係るリアコンバーターレンズＲを対物レンズＯに装着したときの無限距離でのレンズ全体の諸収差図を示す。
各収差図より本参考例に係るリアコンバーターレンズは、諸収差を良好に補正し、優れた結像性能を有していることがわかる。
【００３３】
（第２参考例）
図１０は、本発明の第２参考例に係るリアコンバーターレンズＲのレンズ構成を示す図である。
図１０に示すように、本参考例に係るリアコンバーターレンズＲは、対物レンズＯ側（物体側）から順に、正の屈折力を有する第１レンズ群Ｇ１と、負の屈折力を有する第２レンズ群Ｇ２と、正の屈折力を有する第３レンズ群Ｇ３とから構成されている。
第１レンズ群Ｇ１は、対物レンズＯ側から順に、像側に凸面を向けた正メニスカスレンズＬ１１と像側に凸面を向けた負メニスカスレンズＬ１２との２枚貼り合わせレンズとからなる。
また、第２レンズ群Ｇ２は、対物レンズＯ側から順に、両凹形状の負レンズＬ２１と両凸形状の正レンズＬ２２と両凹形状の負レンズＬ２３との３枚貼り合わせレンズとからなる。
また、第３レンズ群Ｇ３は、対物レンズＯ側から順に、両凸形状の正レンズＬ３１と、像側に凸面を向けた負メニスカスレンズＬ３２とからなる。
以下の表６に、本発明の第２参考例に係るリアコンバーターレンズＲの諸元の値をそれぞれ掲げる。
【００３４】
（表６）［第２参考例に係るリアコンバーターレンズＲ］
（リアコンバーターレンズ諸元）
β＝ 1.70
Ｄ＝-6.90
（レンズデータ）
面      ｒ        ｄ       ν       ｎ
1)  -236.1536   5.1000   48.87   1.531720
2)   -28.2070   1.5000   46.63   1.816000
3)   -43.6078   8.0000           1.000000
4)   -80.0327   2.2000   46.58   1.804000
5)    21.4880   9.2000   31.07   1.688930
6)   -44.1840   1.5000   40.77   1.883000
7)   122.2033   1.4000           1.000000
8)    45.6439   8.3000   70.24   1.487490
9)   -30.7756   0.4000           1.000000
10)   -36.4985   1.5000   40.77   1.883000
11)  -264.4991  41.4775           1.000000
（条件式対応値）
ｒ１＝-236.1536
ｒ２＝ -28.2070
Ｌｒ＝  39.10
Ｂｆ＝  41.47753
ｅｔ＝   7.8384
（１）  （ｒ２＋ｒ１）／（ｒ２−ｒ１）＝-1.2713
（２）  （ｅｔ＋Ｂｆ）／（Ｌｒ＋Ｂｆ）＝ 0.606
（３）  β＝1.699 
【００３５】
図１１は、本発明の第２参考例に係るリアコンバーターレンズＲを対物レンズＯに装着したときの無限距離でのレンズ全体の諸収差図を示す。
各収差図より本参考例に係るリアコンバーターレンズは、諸収差を良好に補正し、優れた結像性能を有していることがわかる。
【００３６】
尚、上記全実施例に係るリアコンバーターレンズは、第１実施例において諸元を掲げて示した対物レンズＯに限られず、どのような対物レンズに対しても装着可能であり、上述の効果を奏することができる。
以上、上記各実施例によれば、レンズ群毎に適切なレンズ配置を行うことで、デジタルカメラに対しても使用可能であり、明るい対物レンズに装着しても良好な光学性能を有するリアコンバーターレンズを実現することができる。
【図面の簡単な説明】
【００３７】
【図１】対物レンズＯの像側に本発明の第１実施例に係るリアコンバーターレンズＲを装着した際のレンズ構成を示す図である。
【図２】本発明の第１実施例に係るリアコンバーターレンズＲのレンズ構成を示す図である。
【図３】本発明の第１実施例に係るリアコンバーターレンズＲを対物レンズＯに装着したときの無限距離でのレンズ全体の諸収差図を示す。
【図４】本発明の第２実施例に係るリアコンバーターレンズＲのレンズ構成を示す図である。
【図５】本発明の第２実施例に係るリアコンバーターレンズＲを対物レンズＯに装着したときの無限距離でのレンズ全体の諸収差図を示す。
【図６】本発明の第３実施例に係るリアコンバーターレンズＲのレンズ構成を示す図である。
【図７】本発明の第３実施例に係るリアコンバーターレンズＲを対物レンズＯに装着したときの無限距離でのレンズ全体の諸収差図を示す。
【図８】本発明の第１参考例に係るリアコンバーターレンズＲのレンズ構成を示す図である。
【図９】本発明の第１参考例に係るリアコンバーターレンズＲを対物レンズＯに装着したときの無限距離でのレンズ全体の諸収差図を示す。
【図１０】本発明の第２参考例に係るリアコンバーターレンズＲのレンズ構成を示す図である。
【図１１】本発明の第２参考例に係るリアコンバーターレンズＲを対物レンズＯに装着したときの無限距離でのレンズ全体の諸収差図を示す。
【符号の説明】
【００３８】
Ｏ      対物レンズ
Ｒ      リアコンバーターレンズ
Ｇ１    第１レンズ群
Ｇ２    第２レンズ群
Ｇ３    第３レンズ群
Ｓ      開口絞り
Ｉ      像面
【図１】
0004639581.tif 000002
【図２】
0004639581.tif 000003
【図３】
0004639581.tif 000004
【図４】
0004639581.tif 000005
【図５】
0004639581.tif 000006
【図６】
0004639581.tif 000007
【図７】
0004639581.tif 000008
【図８】
0004639581.tif 000009
【図９】
0004639581.tif 000010
【図１０】
0004639581.tif 000011
【図１１】
0004639581.tif 000012